(57)【特許請求の範囲】
【請求項１】
人造大理石製のカウンターと、カウンターの下面に固着される木質補強材と、木質補強材に固着されるシンクとからなるキッチンカウンターにおいて、カウンターの開口部の下面の周囲に木質補強材を熱剥離型接着剤の層を介して接着し、シンクの側壁部の上端よりやや下方に位置した部分から外側方に横向きの固定片を突出し、シンクの側壁部の固定片より上方の部位を木質補強材覆い部とし、固定片を木質補強材の下面にねじ具により固着すると共に木質補強材覆い部により木質補強材の内側面を覆ってあることを特徴とするキッチンカウンター。
【請求項２】
熱剥離型接着剤の層が加熱により発泡する接着剤で形成してあることを特徴とする請求項１記載のキッチンカウンター。
【請求項３】
加熱により発泡する接着剤がシリコン系又はウレタン系であることを特徴とする請求項２記載のキッチンカウンター。
【発明の詳細な説明】
【０００１】
【発明の属する技術分野】
本発明は、カウンターと木質補強材とシンクとよりなるキッチンカウンターに関するものである。
【０００２】
【従来の技術】
従来から人造大理石製のカウンターの開口部の下面側の周囲にシンクの上端部のフランジを接着剤により取付けるものが特開平７−１１１９２１号公報等により知られており、また、人造大理石製のカウンターの補強を行うため、人造大理石製のカウンターの下面側に合板のような木質補強材を固着することが知られている。
【０００３】
そして従来にあっては、人造大理石製のカウンターとステンレス製や合成樹脂製のシンクの固着や、人造大理石製のカウンターと木質補強材の固着に当たっては反応硬化型接着剤により接着している。
【０００４】
ところで、近年環境問題の高まりや省資源化への要請等から、キッチンカウンターのリサイクルによる資源の有効利用が求められている。すなわち、人造大理石製のカウンター、木質補強材、ステンレス製や合成樹脂製のシンクを分離してリサイクルすることが求められている。
【０００５】
ところが、従来にあっては、接着剤で接着された人造大理石製のカウンターと木質補強材とステンレス製や合成樹脂製のシンクとを分離することは困難であった。このため、現状では接着剤で接着された人造大理石製のカウンターと木質補強材とステンレス製や合成樹脂製のシンクとのリサイクルが進んでいない。
【０００６】
【発明が解決しようとする課題】
本発明は上記の点に鑑みてなされたものであり、カウンターと木質補強材とシンクとを簡単に分離できて、資源の再利用化を容易に行うことができるキッチンカウンターを提供することを課題とするものである。
【０００７】
【課題を解決するための手段】
上記課題を解決するために本発明に係るキッチンカウンターは、人造大理石製のカウンター１と、カウンター１の下面に固着される木質補強材３と、木質補強材３に固着されるシンク２とからなるキッチンカウンターＡにおいて、カウンター１の開口部９の下面の周囲に木質補強材３を熱剥離型接着剤４の層を介して接着し、シンク２の側壁部６の上端よりやや下方に位置した部分から外側方に横向きの固定片７を突出し、シンク２の側壁部６の固定片７より上方の部位を木質補強材覆い部８とし、固定片７を木質補強材３の下面にねじ具５により固着すると共に木質補強材覆い部８により木質補強材３の内側面を覆ってあることを特徴とするものである。このような構成とすることで、シンク２をねじ具５により木質補強材３を介してカウンター１の下面側に固着することができるものであり、また、リサイクルに当たって、キッチンカウンターＡに熱を加えることで熱剥離型接着剤４の層を剥離可能な状態として、カウンター１と木質補強材３とを容易に分離することができ、また、ねじ具５による固着を解除することで木質補強材３とシンク２とを容易に分離することができるものである。しかも、上記のようにシンク２のリサイクルが容易なようにシンク２をカウンター１の下面に固着した木質補強材３にねじ具５により固着するといえども、シンク２に設けた木質補強材覆い部８により木質補強材３の内側面を覆ってカウンター１の開口部９に木質補強材３が露出しないようにできるものである。
【０００８】
また、熱剥離型接着剤４の層が加熱により発泡する接着剤４で形成してあることが好ましく、この場合、加熱により発泡する接着剤４がシリコン系又はウレタン系であることが好ましい。このような構成とすることで、リサイクルに当たっては、キッチンカウンターＡに熱を加えることで加熱により発泡する接着剤よりなる熱剥離型接着剤４が発泡し、熱剥離型接着剤４による接合面における接触面積が小さくなり、通常の面接着状態から点接触状態となる。このように、接着面積が小さくなるとともに接着剤４の層自体の強度が低下することで、剥離し易くなるものである。
【０００９】
【発明の実施の形態】
以下、本発明を添付図面に示す実施形態に基づいて説明する。
【００１０】
図１には本発明の一実施形態のキッチンカウンターＡが示してある。キッチンカウンターＡは、人造大理石製のカウンター１と、人造大理石製のカウンター１の下面に固着されて人造大理石製のカウンター１の補強を行うための合板製の木質補強材３と、木質補強材３のうち、人造大理石製のカウンター１の開口部９の下面側に固着した木質補強材３にねじ具５により取付けられるステンレス製や合成樹脂製のシンク２とで構成してある。
【００１１】
ここで、本発明においては、人造大理石製のカウンター１と木質補強材３とが熱剥離型接着剤４の層を介して接着してある。
【００１２】
熱剥離型接着剤４は例えば加熱により発泡する接着剤４であり、接着剤としては例えば、ウレタン系１液タイプ、変性シリコン系１液タイプ、エポキシ系１液タイプ、エポキシ系２液タイプ等の接着剤に発泡剤を混入したものが使用できる。ここで接着剤に混入する発泡剤としては、有機系、無機系のいずれのものも用いることができる。無機系発泡剤としては、例えば、炭酸アンモニウム、炭酸水素アンモニウム、亜硝酸アンモニウム、水素化ホウ素アンモニウム、アジト類などの分離型の無機系発泡剤を挙げることができる。また、有機系発泡剤としてはトリクロロモノフルオロメタン等のフッ化アルカン、アゾビスイソブチロニトリル等のアゾ系化合物、パラトルエンスルホニルヒドラジド等のヒドラジン系化合物、ρ−トルイレンスルホニルセミカルバジド等のセミカルバジド系化合物、５−モルホリル−１，２，３，４−チアトリアゾール等のトリアゾール系化合物、Ｎ，Ｎ’−ジニトロソテレフタルアミド等のＮ−ニトロソ化合物、その他の低沸点溶媒等が挙げられる。
【００１３】
本実施形態においては、上記のように、人造大理石製のカウンター１の下面の複数箇所に合板製の木質補強材３を加熱により発泡する接着剤４よりなる熱剥離型接着剤４で接着して人造大理石製のカウンター１の補強を行い、更に、複数の木質補強材３のうち人造大理石製のカウンター１の開口部９の下面側の周囲に固着した木質補強材３の下面にステンレス製や合成樹脂製のシンク２の側壁部６から側方に突設形成した横向きの固定片７をゴムパッキン１１を介して押し付け、この状態でビスのようなねじ具５を固定片７から木質補強材３にねじ込むことで固着してある。
【００１４】
ここで、シンク２の側壁部６の上端よりやや下方に位置した部分から外側方に横向きの固定片７を突設してあり、シンク２の側壁部６の固定片７より上方の部位を木質補強材覆い部８としてある。そして、上記のように固定片７を木質補強材３にねじ具５で固着した場合、シンク２の側壁部６の上端部の木質補強材覆い部８により木質補強材３の内側面が覆われることになる。このようにシンク２の取付けに当たって、シンク２を木質補強材３にねじ具５により容易に取付けができ、且つ、リサイクルが容易なようにシンク２をカウンター１の下面に固着した木質補強材３にねじ具５により固着するような構成にしたと言えども、シンク２に設けた木質補強材覆い部８により木質補強材３の内側面を覆ってカウンター１の開口部９に木質補強材３が露出しないようにできるので、カウンター１の開口部９の縁部分の美観を損ねることがなく、商品価値が低下しないようになっている。また、上記のように木質補強材覆い部８を設けることで木質補強材３及び木質補強材３とシンク２との熱剥離型接着剤４による接合部分にシンク２側から水が浸入するのが防止できるものである。
【００１５】
上記のような構成のキッチンカウンターＡをリサイクルするに当たっては、例えば任意の加熱装置を用いて加熱することで、接着剤４の層が発泡して多孔質状となり、多孔質状となった接着剤４の層はカウンター１と補強材３との接合面及びカウンター１とシンク２との接合面における接触面積がそれぞれ小さくなり、通常の面接着状態から、点接着状態となるものである。つまり、接着面積が小さくなると共に接着剤４の層自体の強度が低下するのでカウンター１と補強材３との剥離が容易に行えることになる。また、シンク２はねじ具５により木質補強材３に固着してあるので、ねじ具５による固着を外すことで簡単にシンク２を木質補強材３から分離できるものである。これにより異なる材料の分離が難しくてリサイクルが困難であったキッチンカウンターＡを簡単に分離してリサイクルすることが可能となるものである。
【００１６】
ここで、一例を挙げると、８ｍｍ厚の人造大理石製のカウンター１の下面に１５ｍｍ厚の木質補強材３をシリコン系の接着剤に発泡剤を混入した加熱により発泡する接着剤４により接着し、更に、この木質補強材３の下面にステンレス製のシンク２の横向きの固定片７をゴムパッキン１１を介してビスよりなるねじ具５により固着して構成したキッチンカウンターＡをリサイクルする場合、まず、ねじ具５を緩めてシンク２を木質補強材３から分離し、その後、加熱による乾燥装置よりなる加熱装置で１８０℃の温度で３０分加熱すると、カウンター１と補強材３とを接着する接着剤４の層が発泡して多孔質状の層となり、人造大理石製のカウンター１から容易に木質補強材３が剥離できるものである。
【００１７】
【発明の効果】
上記のように本発明にあっては、人造大理石製のカウンターと、カウンターの下面に固着される木質補強材と、木質補強材に固着されるシンクとからなるキッチンカウンターにおいて、カウンターの開口部の下面の周囲に木質補強材を熱剥離型接着剤の層を介して接着し、シンクの側壁部の上端よりやや下方に位置した部分から外側方に横向きの固定片を突出し、シンクの側壁部の固定片より上方の部位を木質補強材覆い部とし、固定片を木質補強材の下面にねじ具により固着すると共に木質補強材覆い部により木質補強材の内側面を覆ってあるので、シンクをねじ具により木質補強材を介してカウンターの下面側に簡単に固着することができ、しかも、リサイクルに当たって、ねじ具を緩めることで木質補強材とシンクとを容易に分離することができると共に、加熱することで熱剥離型接着剤の層を剥離可能な状態として、カウンターと木質補強材とを容易に分離することができて、異なる材料を組み合わせて構成したキッチンカウンターの各材料のリサイクルが容易にできるものである。しかも、上記のようにシンクのリサイクルが容易なようにシンクをカウンターの下面に固着した木質補強材にねじ具により固着するといえども、シンクに設けた木質補強材覆い部により木質補強材の内側面を覆ってカウンターの開口部に木質補強材が露出しないようにできるものである。
【００１８】
また、熱剥離型接着剤の層が加熱により発泡する接着剤で形成してあることで、リサイクルに当たっては、キッチンカウンターに熱を加えることで加熱により発泡する接着剤よりなる熱剥離型接着剤が発泡し、熱剥離型接着剤による接合面における接触面積が小さくなり、通常の面接着状態から点接触状態となる。このように、接着面積が小さくなるとともに接着剤の層自体の強度が低下することで、簡単に剥離してリサイクルができるものである。
【図面の簡単な説明】
【図１】  本発明のキッチンカウンターの一実施形態の断面図である。
【符号の説明】
Ａ  キッチンカウンター
１  カウンター
２  シンク
３  木質補強材
４  熱剥離型接着剤
５  ねじ具
６  側壁部
７  固定片
８  木質補強材覆い部
９  開口部
【図１】
0003861164.tif 000002